(57)【特許請求の範囲】
【請求項１】
放射線画像を検出する放射線検出器、及び有線接続用の接続端子を有する接続部を備えた放射線画像撮影装置と、
前記接続部に接続可能に構成され、電力供給電源、及び当該電力供給電源から供給される電力により作動し自身が落下する際に変化する物理量を取得する取得手段を備えた接続装置と、
前記接続装置が前記放射線画像撮影装置に接続された状態で、前記接続装置の前記取得手段により取得された物理量に基づいて前記放射線画像撮影装置の落下を検出する検出手段と、
を有する放射線画像撮影システム。
【請求項２】
前記検出手段により落下が検出された場合、当該落下を報知する報知手段
を更に有する請求項１記載の放射線画像撮影システム。
【請求項３】
前記報知手段は、表示手段による表示により前記落下を報知する
請求項２記載の放射線画像撮影システム。
【請求項４】
前記報知手段は、音声出力手段による音声により前記落下を報知する
請求項２記載の放射線画像撮影システム。
【請求項５】
前記検出手段による検出結果を示す情報を記憶する記憶手段
を更に有する請求項１乃至４のいずれか１項記載の放射線画像撮影システム。
【請求項６】
前記接続装置は、前記接続部に接続された状態で、落下したことを示す落下情報を前記放射線画像撮影装置に対して送信する送信手段
を更に有する請求項１乃至５のいずれか１項記載の放射線画像撮影システム。
【請求項７】
前記放射線画像撮影装置は、
前記接続部に前記接続装置が接続された状態で前記落下情報を受信する受信手段と、
前記受信手段により受信した前記落下情報を記憶する記憶手段と、
を更に有する請求項６記載の放射線画像撮影システム。
【請求項８】
前記送信手段は、前記放射線画像撮影装置の非駆動時に前記検出手段によって前記落下が検出された場合、前記放射線画像撮影装置が駆動状態に移行した時点で前記落下情報を送信する
請求項６または７記載の放射線画像撮影システム。
【請求項９】
前記電力供給電源は、前記検出手段に駆動用の電力を供給する
請求項１乃至請求項８のいずれか１項記載の放射線画像撮影システム。
【請求項１０】
前記接続装置は、前記接続部に接続された状態で、前記電源によって生成された電力を前記放射線画像撮影装置に供給する供給手段を更に備えた
請求項９記載の放射線画像撮影システム。
【請求項１１】
前記取得手段は、加速度を検出する加速度センサである
請求項１乃至１０のいずれか１項記載の放射線画像撮影システム。
【請求項１２】
放射線画像を検出する放射線検出器、及び有線接続用の接続端子を有する接続部を備えた放射線画像撮影装置の前記接続部に接続可能に構成された接続部と、
電力供給電源と、
前記電力供給電源から供給される電力により作動し自身が落下する際に変化する物理量を取得する取得手段と、
前記放射線画像撮影装置に接続された状態で、前記取得手段により取得された物理量に基づいて前記放射線画像撮影装置の落下を検出する検出手段と、
を備えた接続装置。
【請求項１３】
前記検出手段により落下が検出された場合、当該落下を報知する報知手段
を更に備えた請求項１２記載の接続装置。
【請求項１４】
前記検出手段により落下が検出された場合、落下したことを示す落下情報を前記放射線画像撮影装置に対して送信する送信手段
を更に備えた請求項１２または１３記載の接続装置。
【請求項１５】
放射線画像を検出する放射線検出器及び有線接続用の接続端を有する接続部を備えた放射線画像撮影装置の落下検出方法であって、
前記放射線画像撮影装置の前記接続部に接続可能に構成され、電力供給電源を有する接続装置を、当該接続部に接続する接続ステップと、
前記接続装置が、前記電力供給電源から供給される電力により作動し自身が落下する際に変化する物理量を取得する取得ステップと、
前記接続装置が前記放射線画像撮影装置に接続された状態で、前記接続装置の前記取得ステップにより取得された物理量に基づいて前記放射線画像撮影装置の落下を検出する検出ステップと、
を備えた放射線画像撮影装置の落下検出方法。
【請求項１６】
放射線画像を検出する放射線検出器及び有線接続用の接続端子を有する接続部を備えた放射線画像撮影装置の前記接続部に接続可能に構成され、電力供給電源、及び当該電力供給電源から供給された電力により作動し接続装置が落下する際に変化する物理量を取得する取得手段を有する前記接続装置を備えた放射線画像撮影装置を制御するコンピュータを、
前記接続装置が前記放射線画像撮影装置に接続された状態で、前記接続装置の前記取得手段により取得された物理量に基づいて前記放射線画像撮影装置の落下を検出する検出する検出手段と、
として機能させるためのプログラム。
【発明の詳細な説明】
【技術分野】
【０００１】
本発明は、放射線画像撮影システム、接続装置、放射線画像撮影装置の落下検出方法及びプログラムに係り、特に、有線接続用の接続部を備えた放射線画像撮影装置を有する放射線画像撮影システム、当該放射線画像撮影装置の前記有線接続用の接続部に接続される接続装置、当該放射線画像撮影装置の落下検出方法およびプログラムに関する。
【背景技術】
【０００２】
可搬型の放射線画像撮影装置は、その可搬性から移動中や撮影のためのセッティングの最中等に落下してしまう場合がある。この場合、放射線画像撮影装置に内蔵された放射線検出器が衝撃を受けることにより、撮影によって得られる放射線画像の品質が劣化する場合があった。
【０００３】
このため、特許文献１に開示されている技術では、放射線画像撮影装置のブレを検出するためのセンサを設けておき、当該センサを用いて落下を検出していた。
【先行技術文献】
【特許文献】
【０００４】
【特許文献１】特開２００９−３４４２８号公報
【発明の概要】
【発明が解決しようとする課題】
【０００５】
しかしながら、これらの技術では、センサが放射線画像撮影装置に内蔵された電源によって作動するため、放射線画像撮影装置の電源がオフ状態となっている場合には落下を検出することができない、という問題点があった。
【０００６】
すなわち、可搬型の放射線画像撮影装置では、その可搬性を向上させるために電源を内蔵している場合が多く、電源をオフ状態にした場合、撮影枚数をできるだけ多くするために、移動中やセッティング中には電源をオフ状態としている場合が多い。この場合、落下を検出するセンサへの給電も停止される結果、落下し易い状況である放射線画像撮影装置の移動中やセッティング中等には落下したことを検出できなくなってしまうのである。
【０００７】
本発明は上記課題に鑑みてなされたものであり、移動中やセッティング中等の撮影を行っていない状況下でも、落下したことを検出することができる放射線画像撮影システム、接続装置、放射線画像撮影装置の落下検出方法及びプログラムを提供することを目的とする。
【課題を解決するための手段】
【０００８】
上記目的を達成するために、本発明に係る放射線画像撮影システムは、請求項１に記載したように、放射線画像を検出する放射線検出器、及び有線接続用の接続端子を有する接続部を備えた放射線画像撮影装置と、前記接続部に接続可能に構成され、電力供給電源、及び当該電力供給電源から供給される電力により作動し自身が落下する際に変化する物理量を取得する取得手段を備えた接続装置と、前記接続装置が前記放射線画像撮影装置に接続された状態で、前記接続装置の前記取得手段により取得された物理量に基づいて前記放射線画像撮影装置の落下を検出する検出手段と、を備えている。
【０００９】
請求項１に記載の放射線画像撮影システムによれば、放射線画像を検出する放射線検出器、及び有線接続用の接続端子を備えた放射線画像撮影装置を備え、前記接続端子に接続可能に構成され、電力供給電源を備えた接続装置により、当該電力供給電源から供給される電力により作動し自身が落下する際に変化する物理量が取得され、検出手段により、前記接続装置が前記放射線画像撮影装置に接続された状態で、前記接続装置の前記取得手段により取得された物理量に基づいて前記放射線画像撮影装置の落下が検出される。これにより、移動中やセッティング中等の撮影を行っていない状況下でも、落下したことを検出することができる、という効果を奏する。
【００１０】
また、本発明に係る放射線画像撮影システムにおいて、請求項２に記載したように、前記検出手段により落下が検出された場合、当該落下を報知する報知手段を更に有するようにしても良い。これにより、移動中やセッティング中等の撮影を行っていない状況下でも、落下したことを検出して報知することができる、という効果を奏する。
【００１１】
また、本発明に係る放射線画像撮影システムにおいて、請求項３に記載したように、前記報知手段は、表示手段による表示により前記落下を報知するようにしても良い。これにより、移動中やセッティング中等の撮影を行っていない状況下でも、落下したことを検出して表示により報知することができる、という効果を奏する。
【００１２】
また、本発明に係る放射線画像撮影システムにおいて、請求項４に記載したように、前記報知手段は、音声出力手段による音声により前記落下を報知するようにしても良い。これにより、移動中やセッティング中等の撮影を行っていない状況下でも、落下したことを検出して音声により報知することができる、という効果を奏する。
【００１３】
また、本発明に係る放射線画像撮影システムにおいて、請求項５に記載したように、前記検出手段による検出結果を示す情報を記憶する記憶手段を更に有するようにしても良い。これにより、移動中やセッティング中等の撮影を行っていない状況下でも、落下したことを検出して当該落下に関する情報を記憶して後に当該情報を使用することができる、という効果を奏する。
【００１４】
また、本発明に係る放射線画像撮影システムにおいて、請求項６に記載したように、前記接続装置は、前記接続部に接続された状態で、落下したことを示す落下情報を前記放射線画像撮影装置に対して送信する送信手段を更に有するようにしても良い。これにより、移動中やセッティング中等の撮影を行っていない状況下でも、落下したことを検出して放射線画像撮影装置で当該落下に関する情報を使用することができる、という効果を奏する。
【００１５】
また、本発明に係る放射線画像撮影システムにおいて、請求項７に記載したように、前記放射線画像撮影装置は、前記接続部に前記接続装置が接続された状態で前記落下情報を受信する受信手段と、前記受信手段により受信した前記落下情報を記憶する記憶手段と、を更に有するようにしても良い。これにより、移動中やセッティング中等の撮影を行っていない状況下でも、落下したことを検出して放射線画像撮影装置で当該落下に関する情報を後で使用することができる、という効果を奏する。
【００１６】
また、本発明に係る放射線画像撮影システムにおいて、請求項８に記載したように、前記送信手段は、前記放射線画像撮影装置の非駆動時に前記検出手段によって前記落下が検出された場合、前記放射線画像撮影装置が駆動状態に移行した時点で前記落下情報を送信するようにしても良い。これにより、移動中やセッティング中等の撮影を行っていない状況下でも、落下したことを検出して、放射線画像撮影装置の電源がオフ状態であっても放射線画像撮影装置で当該落下に関する情報を使用することができる、という効果を奏する。
【００１７】
また、本発明に係る放射線画像撮影システムにおいて、請求項９に記載したように、前記電力供給電源は、前記検出手段に駆動用の電力を供給するようにしても良い。これにより、移動中やセッティング中等の撮影を行っていない状況下でも、独自に備えた電源を使用して落下したことを検出することができる、という効果を奏する。
【００１８】
また、本発明に係る放射線画像撮影装置において、請求項１０に記載したように、前記接続装置は、前記接続部に接続された状態で、前記電源によって生成された電力を前記放射線画像撮影装置に供給する供給手段を更に備えるようにしても良い。これにより、移動中やセッティング中等の撮影を行っていない状況下でも、落下したことを検出することができ、更に放射線画像撮影装置に対して電力を供給すことができる、という効果を奏する。
【００１９】
また、本発明に係る放射線画像撮影装置において、請求項１１に記載したように、前記取得手段は、加速度を検出する加速度センサであるようにしても良い。これにより、移動中やセッティング中等の撮影を行っていない状況下でも、加速度センサの検出結果を用いて落下したことを検出することができる、という効果を奏する。
【００２０】
一方、上記目的を達成するために、請求項１２に記載の接続装置は、放射線画像を検出する放射線検出器、及び有線接続用の接続端子を備えた放射線画像撮影装置の前記接続端子に接続可能に構成された接続部と、電力供給電源と、前記電力供給電源から供給される電力により作動し自身の落下を検出する検出手段と、を備えている。
【００２１】
従って、請求項１２に記載の接続装置によれば、請求項１に記載の発明と同様に作用するので、請求項１に記載の発明と同様に、移動中やセッティング中等の撮影を行っていない状況下でも、落下したことを検出することができる、という効果を奏する。
【００２２】
また、本発明に係る接続装置において、請求項１３に記載したように、前記検出手段により落下が検出された場合、当該落下を報知する報知手段を更に備えるようにしても良い。これにより、移動中やセッティング中等の撮影を行っていない状況下でも、落下したことを検出して報知することができる。
【００２３】
また、本発明に係る接続装置において、請求項１４に記載したように、前記検出手段により落下が検出された場合、落下したことを示す落下情報を前記放射線画像撮影装置に対して送信する送信手段を更に備えるようにしても良い。これにより、移動中やセッティング中等の撮影を行っていない状況下でも、落下したことを検出して放射線画像撮影装置で当該落下に関する情報を使用することができる。
【００２４】
一方、上記目的を達成するために、請求項１５に記載の落下検出方法は、放射線画像を検出する放射線検出器及び有線接続用の接続端子を有する接続部を備えた放射線画像撮影装置の落下検出方法であって、前記放射線画像撮影装置の前記接続部に接続可能に構成され、電力供給電源を有する接続装置を、当該接続部に接続する接続ステップと、前記接続装置が、前記電力供給電源から供給される電力により作動し自身が落下する際に変化する物理量を取得する取得ステップと、前記接続装置が前記放射線画像撮影装置に接続された状態で、前記接続装置の前記取得ステップにより取得された物理量に基づいて前記放射線画像撮影装置の落下を検出する検出ステップと、を備えた放射線画像撮影装置の落下検出方法である。
【００２５】
従って、請求項１５に記載の落下検出方法によれば、請求項１に記載の発明と同様に作用することができるので、請求項１に記載の発明と同様に、移動中やセッティング中等の撮影を行っていない状況下でも、落下したことを検出することができる、という効果を奏する。
【００２６】
また、上記目的を達成するために、請求項１６に記載のプログラムは、放射線画像を検出する放射線検出器及び有線接続用の接続端子を有する接続部を備えた放射線画像撮影装置の前記接続部に接続可能に構成され、電力供給電源、及び当該電力供給電源から供給された電力により作動し接続装置が落下する際に変化する物理量を取得する取得手段を有する前記接続装置を備えた放射線画像撮影装置を制御するコンピュータを、前記接続装置が前記放射線画像撮影装置に接続された状態で、前記接続装置の前記取得手段により取得された物理量に基づいて前記放射線画像撮影装置の落下を検出する検出する検出手段と、として機能させるためのプログラムである。
【００２７】
従って、請求項１６に記載のプログラムによれば、コンピュータを請求項１に記載の発明と同様に作用させることができるので、請求項１に記載の発明と同様に、移動中やセッティング中等の撮影を行っていない状況下でも、落下したことを検出することができる、という効果を奏する。
【発明の効果】
【００２８】
本発明によれば、移動中やセッティング中等の撮影を行っていない状況下でも、落下したことを検出することができる、という効果を奏する。
【図面の簡単な説明】
【００２９】
【図１】実施の形態に係る放射線画像撮影システムが適用される検査システムの構成を示すブロック図である。
【図２】実施の形態に係る電子カセッテおよび通信ケーブルの構成および当該通信ケーブルの電子カセッテへの接続方法を示す正面図である。
【図３】実施の形態に係るダミー・コネクタの構成および電子カセッテへの接続方法を示す正面図である。
【図４】第１の実施の形態に係る電子カセッテ及びダミー・コネクタの電気系の要部構成と、ダミー・コネクタの電子カセッテへの接続方法を示すブロック図（一部回路図）である。
【図５】第１の実施の形態に係る落下検出処理プログラムの処理の流れを示すフローチャートである。
【図６】実施の形態に係る検出情報の一例を示す図ある。
【図７】第１の実施の形態に係るダミー・コネクタの表示部における表示内容の一例を示す図である。
【図８】第１の実施の形態に係る電源遮断処理プログラムの処理の流れを示すフローチャートである。
【図９】第２の実施の形態及び第３の実施の形態に係る電子カセッテ及びダミー・コネクタの電気系の要部構成と、ダミー・コネクタの電子カセッテへの接続方法を示すブロック図（一部回路図）である。
【図１０】第２の実施の形態に係る落下検出処理プログラムの処理の流れを示すフローチャートである。
【図１１】第２の実施の形態に係る落下報知処理プログラムの処理の流れを示すフローチャートである。
【図１２】第３の実施の形態に係る落下検出処理プログラムの処理の流れを示すフローチャートである。
【図１３】第３の実施の形態に係る落下報知処理プログラムの処理の流れを示すフローチャートである。
【図１４】実施の形態に係るダミー・コネクタの構成例を示す正面図である。
【図１５】実施の形態に係る電子カセッテ及びダミー・コネクタの電気系の要部構成と、ダミー・コネクタの電子カセッテへの接続方法の別例を示すブロック図（一部回路図）である。
【図１６】実施の形態に係る他のダミー・コネクタの構成例を示す正面図である。
【発明を実施するための形態】
【００３０】
以下、図面を参照して、本発明を実施するための形態について詳細に説明する。なお、ここでは、本発明を、可搬型の放射線画像撮影装置（以下、「電子カセッテ」という。）を用いて放射線画像の撮影を行う放射線画像撮影システムに適用した場合の形態例について説明する。
【００３１】
［第１の実施の形態］
図１には、本実施の形態に係る放射線画像撮影システム１０が適用される検査システム１１の概略構成の一例が示されている。
【００３２】
同図に示すように、本実施の形態に係る検査システム１１は、放射線（本実施の形態では、Ｘ線）画像を撮影するための撮影室（以下、「Ｘ線室」という。）に設置されており、撮影制御装置（以下、「コンソール」という。）９０、放射線発生装置９２、および電子カセッテ３２が備えられている。
【００３３】
コンソール９０は、電子カセッテ３２と無線通信が可能に構成されている。また、コンソール９０と電子カセッテ３２とは通信ケーブル４３を介して有線接続された状態で、有線通信が可能となっている。
【００３４】
コンソール９０は、有線通信方式および無線通信方式のいずれかの通信方式で通信を行って、制御信号を伝送することにより電子カセッテ３２に対して様々な制御を行う。また、コンソール９０は、通信ケーブル９４を介して放射線発生装置９２と接続されており、放射線を発生するタイミングを制御する。
【００３５】
コンソール９０の制御に基づいたタイミングで、放射線発生装置９２は、放射線を被写体１２に照射する。放射線発生装置９２から照射された放射線は、被写体１２を透過して電子カセッテ３２に照射される。電子カセッテ３２は、照射された放射線から放射線画像を示す画像データを生成する。生成された画像データは、有線通信または無線通信によりコンソール９０に送信される。
【００３６】
図２には、本実施の形態に係る電子カセッテ３２および通信ケーブル４３の構成および当該通信ケーブル４３の電子カセッテ３２への接続方法を示す正面図が示されている。
【００３７】
本実施の形態に係る電子カセッテ３２は、誤操作の防止および密閉性の確保のため、電源スイッチが設けられていない一方、通信ケーブル４３に設けられたコネクタ４３Ａが接続可能とされた接続部３２Ｂが設けられている。
【００３８】
なお、本実施の形態に係る電子カセッテ３２は、内蔵された電力駆動する各部（後述する放射線検出器等）に対して内蔵電源６０から常時電力が供給される一方、通信ケーブル４３のコネクタ４３Ａが接続部３２Ｂに接続されている場合には、内蔵電源６０から上記各部への電力供給が遮断されると共に、当該通信ケーブル４３を介して当該各部への駆動用の電力が供給される。
【００３９】
一方、図３に示すように、本実施の形態に係る電子カセッテ３２には、接続部３２Ｂに接続可能に構成されたダミー・コネクタ５０が用意されている。本実施の形態では、遠視カセッテ３２及びダミー・コネクタ５０を備えたシステムを放射線画像撮影システム１０とする。
【００４０】
ダミー・コネクタ５０は、電子カセッテ３２に接続されることにより、電子カセッテ３２の内蔵電源６０から各部への電力供給を遮断することができる。なお、本実施の形態に係るダミー・コネクタ５０は、通信ケーブル４３のコネクタ４３Ａと略同一の形状および寸法とされ、ケーブルを有さず、電子カセッテ３２に接続された状態で、電子カセッテ３２の接続部３２密閉する。
【００４１】
一方、図４には、本実施の形態に係る電子カセッテ３２の電気系の要部構成が示されている。
【００４２】
同図に示すように、本実施の形態に係る電子カセッテ３２は、ＴＦＴ（Thin Film Transistor）基板２１上に光吸収性の低い接着樹脂等を用いて図示しないシンチレータが貼り付けられた放射線検出器２０を備えている。
【００４３】
ＴＦＴ基板２１には、上記シンチレータが発する光を吸収して電荷を発生するセンサ部２２Ａ、センサ部２２Ａにおいて発生した電荷を蓄積するコンデンサ２２Ｂ、およびコンデンサ２２Ａに蓄積された電荷を電気信号に変換して出力する電界効果型薄膜トランジスタ（以下、単に「薄膜トランジスタ」という。）２２Ｃを含んで構成される画素２２が一定方向（図４の行方向）、および当該一定方向に対する交差方向（図４の列方向）に２次元状に複数設けられている。
【００４４】
また、放射線検出器２０には、上記一定方向（行方向）に延設され、各薄膜トランジスタ２２Ｃをオン・オフさせるための複数本のゲート配線２７と、上記交差方向（列方向）に延設され、オン状態の薄膜トランジスタ２２Ｃを介して電荷を読み出すための複数本のデータ配線２８と、が設けられている。放射線検出器２０は、平板状で、かつ平面視において外縁に４辺を有する四辺形状、より具体的には、矩形状に形成されている。
【００４５】
放射線検出器２０は、隣り合う２辺の一辺側にゲート線ドライバ２３が配置され、他辺側に信号処理部２４が配置されている。ＴＦＴ基板２１の個々のゲート配線２７はゲート線ドライバ２３に接続され、ＴＦＴ基板２１の個々のデータ配線２８は信号処理部２４に接続されている。
【００４６】
また、電子カセッテ３２の筐体３２Ａの内部には、画像メモリ２５と、カセッテ制御部２６と、無線通信部２７と、を備えている。
【００４７】
ＴＦＴ基板２１の各薄膜トランジスタ２２Ｃは、ゲート線ドライバ２３からゲート配線２７を介して供給される信号により行単位で順にオンされ、オン状態とされた薄膜トランジスタ２２Ｃによって読み出された電荷は、電気信号としてデータ配線２８を伝送されて信号処理部２４に入力される。これにより、電荷は行単位で順に読み出され、二次元状の放射線画像が取得可能となる。
【００４８】
図示は省略するが、信号処理部２４は、個々のデータ配線２８毎に、入力される電気信号を増幅する増幅回路およびサンプルホールド回路を備えており、個々のデータ配線２８を伝送された電気信号は増幅回路で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電気信号はマルチプレクサに順に（シリアルに）入力され、Ａ／Ｄ変換器によってデジタルの画像データへ変換される。
【００４９】
信号処理部２４には画像メモリ２５が接続されており、信号処理部２４のＡ／Ｄ変換器から出力された画像データは画像メモリ２５に順に記憶される。画像メモリ２５は所定枚分の画像データを記憶可能な記憶容量を有しており、放射線画像の撮影が行われる毎に、撮影によって得られた画像データが画像メモリ２５に順次記憶される。
【００５０】
画像メモリ２５はカセッテ制御部２６と接続されている。カセッテ制御部２６はマイクロコンピュータを含んで構成され、ＣＰＵ（中央処理装置）２６Ａ、ＲＯＭ（Read Only Memory）およびＲＡＭ（Random Access Memory）を含むメモリ２６Ｂ、フラッシュメモリ等からなる不揮発性の記憶部２６Ｃを備えており、電子カセッテ３２全体の動作を制御する。
【００５１】
さらに、カセッテ制御部２６には無線通信部２７が接続されている。無線通信部２７は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部２６は、無線通信部２７を介して、放射線画像の撮影に関する制御を行うコンソール９０などの外部装置と無線通信が可能とされており、コンソール９０等との間で各種情報の送受信が可能とされている。
【００５２】
また、電子カセッテ３２には前述した内蔵電源６０が設けられており、各種回路や各種素子（ゲート線ドライバ２３、信号処理部２４、画像メモリ２５、無線通信部２７、カセッテ制御部２６として機能するマイクロコンピュータ等）は、内蔵電源６０から供給された電力によって作動する。内蔵電源６０は、電子カセッテ３２の可搬性を損なわないように、バッテリ（充電可能な二次電池）を内蔵しており、充電されたバッテリから各種回路・素子へ電力を供給する。
【００５３】
ダミー・コネクタ５０には、ＣＰＵ５１、ＲＯＭ５３、およびＲＡＭ５４が備えられると共に、表示部５６に接続された表示制御部５５、音声を出力する音声出力部６２、およびセンサ５２に接続されたＡ／Ｄ変換器（Ａ／Ｄ）５７が備えられており、これら各部はシステム・バスにより相互かつ電気的に接続されている。従って、ＣＰＵ５１は、ＲＯＭ５３およびＲＡＭ５４へのアクセス、表示部５６に対する各種情報の表示、音声出力、およびセンサ５２の検出結果の取得を各々行うことができる。センサ５２は、ダミー・コネクタ５０に加わる加速度を検出する加速度センサであるが、これに限定されず、その他圧電センサ等、ダミー・コネクタ５０に加わる衝撃や加速度を検出することができるセンサであれば良い。
【００５４】
また、ダミー・コネクタ５０は、接続部５０Ｂに接続されたインタフェース（Ｉ／Ｆ）５８が備えられており、当該Ｉ／Ｆ５８もまた上記システム・バスに接続されている。従って、ＣＰＵ５１は、ダミー・コネクタが電子カセッテ３２に接続されている場合における接続部５０Ｂを介した電子カセッテ３２との各種情報の授受を行うことができる。
【００５５】
さらに、ダミー・コネクタ５０は、電力供給電源５９を備えていて、各種回路や各種素子（ＣＰＵ５１、センサ５２、ＲＯＭ５４、ＲＡＭ５４、表示部５６や表示制御部５５等）は、電力供給電源５９から供給された電力によって作動する。また、ダミー・コネクタ５０は、電子カセッテ３２が接続部３２Ｂを介して接続された際、電力供給電源５９から電子カセッテ３２の内蔵電源６０への充電、あるいは電力供給電源５９から電子カセッテ３２の各種回路（放射線検出器３２等）への給電を行うことができる。
【００５６】
本実施の形態に係る電子カセッテ３２では、接続部３２Ｂがカセッテ制御部２６に電気的に接続されていることにより、ダミー・コネクタのＣＰＵ５１が、電子カセッテ３２に接続された状態で、内蔵電源６０からの給電状態を、ＣＰＵ２６Ａを介して制御することができる。
【００５７】
なお、この構成では、センサ５２の検出結果を示す情報や、電子カセッテ３２の作動状態を示す情報等の各種情報を表示部５６により表示したり、音声出力部６２により音声で出力したりすることができるため、より利便性を向上させることができる。
【００５８】
次に、本実施の形態に係る放射線画像撮影システム１０の作用を説明する。まず、図４を参照して、本実施の形態に係る電子カセッテ３２の放射線画像の撮影時における作用を説明する。
【００５９】
本実施の形態に係る電子カセッテ３２は、放射線画像の撮影を行う場合、放射線発生装置９２と間隔を空けて配置され、撮影領域上に被写体１２の撮影対象部位が配置される。その後、放射線発生装置９２は予め与えられた撮影条件等に応じた放射線量の放射線を射出する。
【００６０】
放射線発生装置９２から射出された放射線は、撮影対象部位を透過することで画像情報を担持した後に電子カセッテ３２に照射される。これにより、電子カセッテ３２に内蔵された放射線検出器２０の各センサ部２２Ａには照射された放射線の線量に応じた電荷が発生し、コンデンサ２２Ｂにはセンサ部２２Ａで発生した電荷が蓄積される。
【００６１】
カセッテ制御部２６は、放射線の照射終了後に、ゲート線ドライバ２３を制御し、ゲート線ドライバ２３から放射線検出器２０の各ゲート配線２７に１ラインずつ順にオン信号を出力させて画像情報の読み出しを行う。放射線検出器２０から読み出された画像情報は上記Ａ／Ｄ変換器によってデジタルの画像データに変換され、画像メモリ２５に記憶された後、無線通信部２７を介して無線にてコンソール９０に送信される。
【００６２】
ところで、本実施の形態に係る放射線画像撮影システム１０では、ダミー・コネクタ５０が電子カセッテ３２に接続されている状態で、ダミー・コネクタ５０によって当該ダミー・コネクタ５０の落下、換言すれば電子カセッテ３２の落下を検出する落下検出処理を実行する。
【００６３】
次に、図５を参照して、落下検出処理を実行する際のダミー・コネクタ５０の作用を説明する。なお、図５は、ダミー・コネクタ５０が電子カセッテ３２に接続された場合に当該ダミー・コネクタ５０のＣＰＵ５１により実行される落下検出処理プログラムの処理の流れを示すフローチャートであり、当該プログラムはＲＯＭ５３の所定領域に予め記憶されている。
【００６４】
なお、ダミー・コネクタ５０が電子カセッテ３２に接続された際に、ダミー・コネクタ５０が識別信号を送信し、電子カセッテ３２がこの信号に対する応答信号を送信する。ＣＰＵ５１は、この応答信号を受信することで、電子カセッテ３２に接続されたことを認識し、当該落下検出処理プログラムの実行を開始する。
【００６５】
まず、ステップＳ１０１において、ＣＰＵ５１は、表示部５６の表示内容をクリアするように表示制御部５５を介して制御する。
【００６６】
ステップＳ１０３において、ＣＰＵ５１は、センサ５２により検出された加速度をＡ／Ｄ変換器５７を介して取得する。また、ステップ１０５において、ＣＰＵ５１は、ステップＳ１０３において取得した加速度を、ステップＳ１０３にて当該加速度を取得した時刻に関連付けてＲＡＭ５４に記憶する。
【００６７】
図６は、ステップＳ１０３においてＲＡＭ５４に記憶される検出情報７０の一例を示す図である。図６に示すように、本実施の形態に係る検出情報７０は、例えば時刻と加速度とがそれぞれ対応付けられた情報である。
【００６８】
ステップ１０７において、ＣＰＵ５１は、ステップＳ１０３にて取得した加速度が、落下したか否かを判定するための基準となる予め定められた閾値以上であったか否かを判定する。この閾値を示す情報は、予めＲＯＭ５４に記憶しておいても、Ｉ／Ｆ５８を介して入力しても良い。
【００６９】
ステップＳ１０７において閾値以上であると判定された場合は、ステップＳ１０９において、ＣＰＵ５１は、表示部５６に、落下したことを示す情報を表示するように表示制御部５５を介して制御した後、ステップＳ１１１に移行する。図７は、表示部５６に落下したことを示す状態が表示された状態を示す図である。図７に示すように、表示部５６に例えば落下が検出された旨と落下時刻とが表示される。ユーザは、表示部５６の表示内容を確認することで、ダミー・コネクタ５０、すなわち電子カセッテ３２が落下したことを認識することができる。なお、この際の表示内容は落下が検出された旨と落下時刻に限定されず、落下が検出された際の加速度が表示されても良い。
【００７０】
このように、ステップＳ１０９における表示は、ステップＳ１０７にて加速度が閾値以上であると判定された段階でリアルタイムに行っても良いが、ステップＳ１０５にて記憶した情報をユーザによる何らかの操作（例えばユーザがダミー・コネクタ５０を電子カセッテ３２から取り外す操作等）に応じて行っても良い。
【００７１】
一方、ステップＳ１０７において加速度が閾値以上でないと判定された場合は、ステップＳ１１１に移行して、ＣＰＵ５１は、ダミー・コネクタ５０が電子カセッテ３２から取り外されたか否かを判定する。この際、ダミー・コネクタ５０が電子カセッテ３２に接続されている間は、電子カセッテ３２がダミー・コネクタ５０に対して所定時間毎に確認信号を送信するので、ＣＰＵ５１は、この確認信号を受信しなくなることで、電子カセッテ３２から離脱したことを認識する。
【００７２】
ステップＳ１１１において取り外されていないと判定された場合は上記ステップＳ１０３に戻る一方、ステップＳ１１１において取り外されたと判定された場合は、ＣＰＵ５１は、本落下検出処理プログラムを終了する。
【００７３】
なお、ステップＳ１０５の処理をステップＳ１０７の肯定判定後に行い、閾値以上となった加速度を対象にして検出情報７０を生成して記憶するようにしても良い。これにより、記憶する検出情報７０の情報量を小さくすることができる。
【００７４】
ここで、図８を参照して、電源遮断処理を実行する際の電子カセッテ３２の作用を説明する。なお、図８は、ダミー・コネクタ５０が電子カセッテ４に接続された場合に当該電子カセッテ３２のＣＰＵ２６Ａにより実行される電源遮断処理プログラムの処理の流れを示すフローチャートであり、当該プログラムはメモリ２６Ｂの所定領域に予め記憶されている。
【００７５】
まず、ステップＳ１２１において、ＣＰＵ２６Ａは、ダミー・コネクタ５０が接続されるか否かを判定し、接続された場合は、電子カセッテ３２の電源をオフ状態にする。この際、ダミー・コネクタ５０から電子カセッテ３２に電力が供給され、ダミー・コネクタ５０が電子カセッテ３２に接続されている間、電子カセッテ３２はダミー・コネクタ５０により提供される電力で駆動する。
【００７６】
このようにして本第１の実施の形態に係る放射線画像撮影システム１０では、放射線画像を検出する放射線検出器２０及び有線接続用の接続端子を備えた放射線画像撮影装置の当該接続端子に接続可能に構成される接続部（ダミー・コネクタ５０）により、装置本体の落下が検出され、当該落下が報知される。これにより、移動中やセッティング中等の撮影を行っていない状況下でも、落下したことを検出することができる、という効果を奏する。
【００７７】
また、本実施の形態では、ダミー・コネクタ５０が独自に表示部５６及び電力供給電源５９を備えているため、電子カセッテ３２が非駆動状態（電源がオフの状態）となっていても、ダミー・コネクタ５０が電子カセッテ３２の落下を検出してユーザに対して報知することができる。
【００７８】
なお、本実施の形態では、ダミー・コネクタ５０が電子カセッテ３２に電気的に接続される場合について説明したが、これに限定されず、ダミー・コネクタ５０が電子カセッテ３２に着脱自在に設けられていて、電子カセッテ３２と一体的に移動する状態であれば良い。
【００７９】
また、本実施の形態では、表示部５６に落下したことを表示することにより落下をユーザに対して報知する場合について説明したが、これに限定されず、例えば表示部５６の代わりにＬＥＤ等の発光素子を備え、落下が検出された場合に発光素子を点灯させるようにしても良い。この場合には、ユーザが点灯を確認した後、ユーザによる何らかの操作（例えばユーザがダミー・コネクタ５０を電子カセッテ３２から取り外す操作等）により当該発光素子が消灯するようにすると良い。
【００８０】
または、表示部５６の代わりにスピーカ等の音声出力手段を備えていて、落下を検出した段階でリアルタイムで落下したことを音声で出力しても良い。あるいは、ユーザによる何らかの操作により、落下が検出された時刻が音声で出力されるようにしても良い。
【００８１】
また、上記実施の形態では、ダミー・コネクタ５０が電力供給電源５９を内蔵する場合について説明したが、本発明はこれに限定されるものではなく、例えば、ダミー・コネクタ５０には電源を内蔵せず、電子カセッテ３２の内蔵電源６０からの電力を用いてダミー・コネクタ５０に設けられた電力駆動する各部への給電を行う形態としてもよい。
【００８２】
また、上記実施の形態では、電力供給電源５９として充電可能な二次電池を用いても良く、あるいは、充電できない電池や太陽電池等の他の電池を適用する形態としてもよい。
【００８３】
［第２の実施の形態］
以下、第２の実施の形態に係る放射線画像撮影システム１０について添付図面を参照して詳細に説明する。なお、本第２の実施の形態に係る放射線画像撮影システム１０は、第１の実施の形態に係る放射線画像撮影システム１０と同様に、図１乃至図３に示す構成を有しているため、当該構成に関して重複する説明を省略する。
【００８４】
図９に示すように、本第２の実施の形態に係る放射線画像撮影システム１０は、第１の実施の形態に係る放射線画像撮影システム１０の電子カセッテ３２のカセッテ制御部２６に、表示部２９Ａを制御する表示制御部２９及び音声を出力する音声出力部６３が更に接続されている。カセッテ制御部２６のＣＰＵ２６Ａは、ダミー・コネクタ５０のセンサ５２による検出結果の情報を含んだ各種情報を表示部２９Ａに表示させたり音声出力部６３により音声で出力させたりする。
【００８５】
また、本第２の実施の形態に係るダミー・コネクタ５０は、第１の実施の形態と異なり表示制御部５５及び表示部５６を備えていないが、これに限定されず、必要に応じて備えていても良い。
【００８６】
本第２の実施の形態に係るダミー・コネクタ５０は、電子カセッテ４に接続されている状態で、内蔵されているセンサ５２でダミー・コネクタ５０、すなわち電子カセッテ４に加わっている加速度を検出し、ＣＰＵ５１は、センサ５２からの出力信号による加速度の変化に基づいて電子カセッテ３２が落下したことを検出する落下検出処理を実行する。
【００８７】
この際、第１の実施の形態では、電子カセッテ３２の駆動・非駆動状態（オン・オフ状態）に関わらずにダミー・コネクタ５０により落下を報知するが、本第２の実施の形態では、電子カセッテ３２の電源がオンに設定されている場合を想定して、ダミー・コネクタ５０が落下を検出した場合に、電子カセッテ３２がダミー・コネクタ５０からセンサ５２の検出結果を受信して、電子カセッテ３２がユーザに対して落下を報知する。
【００８８】
以下、図１０を参照して、落下検出処理を実行する際のダミー・コネクタ５０の作用を説明するとともに、図１１を参照して、落下報知処理を実行する電子カセッテ３２の作用を説明する。なお、図１０は、ダミー・コネクタ５０が電子カセッテ４に接続された場合に当該ダミー・コネクタ５０のＣＰＵ５１により実行される落下検出処理プログラムの処理の流れを示すフローチャートであり、当該プログラムはＲＯＭ５３の所定領域に予め記憶されている。また、図１１は、ダミー・コネクタ５０が電子カセッテ４に接続された場合に当該電子カセッテ３２のＣＰＵ２６Ａにより実行される落下報知処理プログラムの処理の流れを示すフローチャートであり、当該プログラムは記憶部２６Ｃの所定領域に予め記憶されている。
【００８９】
始めに、落下検出処理を実行する際のダミー・コネクタ５０の作用を説明する。
【００９０】
まず、ステップＳ２０１において、ＣＰＵ５１は、センサ５２により検出された加速度をＡ／Ｄ変換器５７を介して取得する。また、ステップ２０３において、ＣＰＵ５１は、ステップＳ１０５と同様の手法で、ステップＳ２０１において取得した加速度を、ステップＳ２０１にて当該センサ出力値を取得した時刻に関連付けてＲＡＭ５４に記憶する。
【００９１】
ステップ２０５において、ＣＰＵ５１は、ステップＳ２０１にて取得した加速度が、落下したか否かを判定するための基準となる予め定められた閾値以上であったか否かを判定する。この閾値を示す情報は、予めＲＯＭ５４に記憶されている。
【００９２】
ステップＳ２０５において閾値以上であると判定された場合は、ステップＳ２０７において、ＣＰＵ５１は、閾値以上であった加速度、当該加速度が検出された時刻を示す情報を電子カセッテ３２に対して送信する。
【００９３】
ステップＳ２０５において閾値以上でないと判定された場合は、後述するステップ２０９に移行する。
【００９４】
ステップＳ２０９において、ＣＰＵ５１は、ダミー・コネクタ５０が電子カセッテ３２から取り外されたか否かを判定する。ステップＳ２０９において取り外されていないと判定された場合は上記ステップＳ２０１に戻る一方、ステップＳ２０９において取り外されたと判定された場合は、ＣＰＵ５１は、本落下検出処理プログラムを終了する。
【００９５】
次に、ダミー・コネクタ５０が上記落下検出処理を実行している一方で、落下報知処理プログラムを実行する際の電子カセッテ３２の作用を説明する。なお、ダミー・コネクタ５０が電子カセッテ３２に接続された際に、ダミー・コネクタ５０が電子カセッテ３２に対して識別信号を送信する。ＣＰＵ２６Ａは、この識別信号を受信することで、電子カセッテ３２に接続されたことを認識し、当該落下検出処理プログラムの実行を開始する。
【００９６】
ステップＳ３０１において、ＣＰＵ２６Ａは、表示部２９Ａの表示内容をクリアするように表示制御部２９を介して制御する。表示部２９Ａの表示内容をクリアしておくことで、ユーザは、表示部２９Ａに何も表示されていないことを確認することにより、電子カセッテ３２が落下していないことを認識することができる。
【００９７】
ステップＳ３０３において、ＣＰＵ２６Ａは、ダミー・コネクタ５０から上記ステップＳ２０７において送信された加速度及び時刻の情報を受信したか否かを判定する。ステップＳ３０３において加速度及び時刻の情報を受信していないと判定された場合は、ＣＰＵ２６Ａは、当該情報を受信するまで待機する。
【００９８】
ステップＳ３０３において加速度及び時刻の情報を受信したと判定された場合は、ステップＳ３０５において、ＣＰＵ２６Ａは、ステップＳ３０３において受信した加速度及び時刻の情報をＲＡＭ５４に記憶する。なお、この記憶された加速度及び時刻の情報は、表示部２９Ａに表示されたり、接続部３２Ｂに接続された装置に送信されたりすることで、ユーザが利用することができる。
【００９９】
また、ステップＳ３０７において、ＣＰＵ２６Ａは、電子カセッテ３２が落下した旨を表示部３９Ａに表示させるように表示制御部２９に制御させ、本落下報知処理プログラムを終了する。この際、表示される情報は、落下した旨を示す情報、落下時刻の情報、加速度の情報等のいずれか一つであっても、上記複数の情報を組み合わせた情報であっても良い。
【０１００】
なお、ステップＳ３０７における表示は、ステップＳ３０３にて加速度及び時刻の情報を受信した段階でリアルタイムに行っても、ステップＳ３０５にて記憶した情報をユーザによる何らかの操作（例えばユーザがダミー・コネクタ５０を電子カセッテ３２から取り外す操作等）により一括して行っても良い。
【０１０１】
このようにして本第２の実施の形態に係る放射線画像撮影システム１０では、放射線画像を検出する放射線検出器２０及び有線接続用の接続端子を備えた放射線画像撮影装置の当該接続端子に接続可能に構成される接続部（ダミー・コネクタ５０）により、装置本体の落下が検出され、電子カセッテ３２から当該落下が報知される。これにより、落下の衝撃等によってダミー・コネクタ５０が離脱して紛失した場合においても、落下したことを報知することができる、という効果を奏する。
【０１０２】
［第３の実施の形態］
以下、第３の実施の形態に係る放射線画像撮影システム１０について添付図面を参照して詳細に説明する。なお、本第３の実施の形態に係る放射線画像撮影システム１０は、第２の実施の形態に係る放射線画像撮影システム１０と同様に、図１乃至図３、図９に示す構成を有しているため、当該構成に関して重複する説明を省略する。
【０１０３】
本第３の実施の形態に係るダミー・コネクタ５０は、電子カセッテ４に接続されている状態で、内蔵されているセンサ５２でダミー・コネクタ５０、すなわち電子カセッテ４に加わっている加速度を検出し、ＣＰＵ５１は、センサ５２からの出力信号による加速度の変化に基づいて電子カセッテ３２が落下したことを検出する落下検出処理を実行する。
【０１０４】
この際、第２の実施の形態では、電子カセッテ３２の電源がオンに設定されている場合を想定していて、ダミー・コネクタ５０が落下を検出した場合に、電子カセッテ３２がダミー・コネクタ５０からセンサ５２の検出結果を受信して、電子カセッテ３２がユーザに対して落下を報知するが、本第３の実施の形態では、電子カセッテ３２の電源がオフに設定されている場合を想定していて、ダミー・コネクタ５０が落下を検出した後に、図示しない電源スイッチの操作により電子カセッテの電源がオンに設定された場合に、電子カセッテ３２がダミー・コネクタ５０からセンサ５２の検出結果を受信して、電子カセッテ３２がユーザに対して落下を報知する。
【０１０５】
以下、図１２を参照して、落下検出処理を実行する際のダミー・コネクタ５０の作用を説明するとともに、図１３を参照して、落下報知処理を実行する電子カセッテ３２の作用を説明する。なお、図１２は、ダミー・コネクタ５０が電子カセッテ４に接続され、かつ電子カセッテ３２の電源がオフに設定されている場合に当該ダミー・コネクタ５０のＣＰＵ５１により実行される落下検出処理プログラムの処理の流れを示すフローチャートであり、当該プログラムはＲＯＭ５３の所定領域に予め記憶されている。また、図１３は、ダミー・コネクタ５０が電子カセッテ４に接続され、かつ電子カセッテ３２の電源がオフに設定されている場合に当該電子カセッテ３２のＣＰＵ２６Ａにより実行される落下報知処理プログラムの処理の流れを示すフローチャートであり、当該プログラムは記憶部２６Ｃの所定領域に予め記憶されている。
【０１０６】
始めに、落下検出処理を実行する際のダミー・コネクタ５０の作用を説明する。
【０１０７】
まず、ステップＳ４０１において、ＣＰＵ５１は、センサ５２により検出された加速度をＡ／Ｄ変換器５７を介して取得する。また、ステップ４０３において、ＣＰＵ５１は、ステップＳ１０５と同様の手法で、ステップＳ４０１において取得した加速度を、ステップＳ４０１にて当該センサ出力値を取得した時刻に関連付けてＲＡＭ５４に記憶する。
【０１０８】
ステップ４０５において、ＣＰＵ５１は、後述するステップＳ５０３にて電子カセッテ３２から送信された加速度及び時刻の要求を示す情報を受信したか否かを判定する。なお、この際に受信する情報は、落下した旨を示す情報、加速度の情報、落下時刻の情報のいずれか１つの情報であっても、上記複数の情報のいずれかを組み合わせた情報であっても良い。
【０１０９】
ステップＳ４０５において加速度及び時刻の要求を示す情報を受信していないと判定された場合は、後述するステップＳ４０９に移行する。
【０１１０】
ステップＳ４０５において加速度及び時刻の要求を示す情報を受信したと判定された場合は、ステップＳ４０７において、ＣＰＵ５１は、ステップＳ５０３において記憶された加速度、当該加速度が検出された時刻を示す情報を電子カセッテ３２に対して送信する。
【０１１１】
ステップＳ４０９において、ＣＰＵ５１は、ダミー・コネクタ５０が電子カセッテ３２から取り外されたか否かを判定する。ステップＳ４０９において取り外されていないと判定された場合は上記ステップＳ４０１に戻る一方、ステップＳ４０９において取り外されたと判定された場合は、ＣＰＵ５１は、本落下検出処理プログラムを終了する。
【０１１２】
次に、ダミー・コネクタ５０が上記落下検出処理を実行している一方で、落下報知処理を実行する際の電子カセッテ３２の作用を説明する。なお、上述したように、電子カセッテ３２の電源は現段階でオフに設定されている。
【０１１３】
ステップＳ５０１において、ＣＰＵ２６Ａは、電子カセッテ３２の電源が投入されたか否かを判定する。ステップＳ５０１において電源が投入されていないと判断された場合は、ＣＰＵ２６Ａは、電源が投入されるまで待機する。
【０１１４】
ステップＳ５０１において電源が投入されたと判定された場合は、ステップＳ５０３において、ＣＰＵ２６Ａは、加速度及び時刻の情報の要求の情報をダミー・コネクタ５０に対して送信する。なお、この情報を受信したダミー・コネクタ５０は、上述したステップＳ４０７にて加速度及び時刻の情報を返信する。
【０１１５】
ステップＳ５０５において、ＣＰＵ２６Ａは、ダミー・コネクタ５０から上記ステップＳ４０７において送信された加速度及び時刻の情報を受信したか否かを判定する。ステップＳ５０５において加速度及び時刻の情報を受信していないと判定された場合は、ＣＰＵ２６Ａは、当該情報を受信するまで待機する。
【０１１６】
ステップＳ５０５において加速度及び時刻の情報を受信したと判定された場合は、ステップＳ５０７において、ＣＰＵ２６Ａは、ステップＳ５０５において受信した加速度及び時刻の情報をＲＡＭ５４に記憶する。
【０１１７】
ステップＳ５０９において、ＣＰＵ２６Ａは、ステップＳ５０７において記憶された加速度の中に、落下したか否かを判定するための基準となる予め定められた閾値以上であるものが存在するか否かを判定する。この閾値を示す情報は、予めメモリ２６Ｂに記憶されている情報でも、ダミー・コネクタ５０から入力されてメモリ２６Ｂに記憶された情報でも良い。
【０１１８】
ステップＳ５０９において予め定められた閾値以上であるものが存在しないと判定された場合は、ＣＰＵ２６Ａは、本落下報知処理プログラムを終了する。
【０１１９】
ステップＳ５０９において予め定められた閾値以上であるものが存在すると判定された場合は、ステップＳ５１１において、ＣＰＵ２６Ａは、電子カセッテ３２が落下した旨を表示部３９Ａに表示させるように表示制御部２９に制御させ、本落下報知処理プログラムを終了する。
【０１２０】
このようにして本第３の実施の形態に係る放射線画像撮影システム１０では、放射線画像を検出する放射線検出器２０及び有線接続用の接続端子を備えた放射線画像撮影装置（電子カセッテ３２）の当該接続端子に接続可能に構成される接続部（ダミー・コネクタ５０）により、電子カセッテ３２の電源がオフに設定されている状態で、装置本体の落下が検出され、電子カセッテ３２の電源がオンに設定された段階で、当該落下を示す情報が送信され、当該落下が報知される。これにより、移動中やセッティング中等の撮影を行っていない状況下でも、落下したことを検出することができる、という効果を奏する。
【０１２１】
また、本実施の形態では、ダミー・コネクタ５０が独自に電力供給電源５９を備えているため、落下時に電子カセッテ３２の電源がオフになっていても、ダミー・コネクタ５０が電子カセッテ３２の落下を検出でき、電子カセッテ３２の電源がオンに設定された段階で電子カセッテ３２に対して当該落下を示す情報を送信することができる。
【０１２２】
なお、図１４Ａ、図１４Ｂ及び図１５に示すように、実施の形態に係る放射線画像撮影システム１０のダミー・コネクタ５０’は、スイッチ６１が更に備えられていても良い。ダミー・コネクタ５０’では、スイッチ６１がオン状態の場合、電力供給電源５９から電子カセッテ３２に対して電力が供給され、これに対し、スイッチ６１がオフ状態の場合、電力供給電源５９から電子カセッテ３２に対する給電が遮断される。このスイッチ６１は、例えばトグルスイッチにより構成されていて、ユーザ操作により切り替えることが可能であり、ＣＰＵ５１は、スイッチ６１の切り替え時に、インタフェース（Ｉ／Ｆ）６２を介してスイッチ６１のオン・オフ状態を示す信号を取得する。
【０１２３】
また、上記各実施の形態では、本発明の接続部材として、電子カセッテ３２の接続部３２Ｂに本来接続される通信ケーブル４３のコネクタ４３Ａと略同一の形状および寸法とされたダミー・コネクタ５０を適用した場合について説明したが、本発明はこれに限定されるものではない。一例として図１６に示すような、コネクタ４３Ａとは異なる形状や、異なる寸法の接続部材を適用する形態としてもよい。図１６は、破損しにくく形成されたダミー・コネクタ５０’’の一例を示す図である。ダミー・コネクタ５０’’は電子カセッテ３２の落下を検出するものであるため、落下に際して破損しないことが要求される。図１６に示すように、ダミー・コネクタ５０’’は、電子カセッテ３２の側面に沿う形状で形成されると良い。この場合には、電子カセッテ３２が落下したことを報知するために、表示部５６の代わりに、所要スペースの制限が少ないＬＥＤ等の発光素子やスピーカ等の音声出力手段を備えるようにすると良い。また、図１６に示すダミー・コネクタ５０’’は、上記各実施の形態に記載のダミー・コネクタに比較して薄型のものとされているため、電子カセッテ３２に接続した場合における当該接続部材による突出部を低くすることができる結果、電子カセッテ３２を持ち運ぶ際の利便性等を向上させることができる。
【符号の説明】
【０１２４】
１０    放射線画像撮影システム
２６    カセッテ制御部
２６Ａ    ＣＰＵ
２７    無線通信部
２９Ａ    表示部
３２    電子カセッテ
３２Ｂ    接続部
４３    通信ケーブル
４３Ａ    コネクタ
４３Ｂ    ケーブル本体
４３Ｃ    接続部
５０，５０’，５０’’    ダミー・コネクタ
５０Ｂ    接続部
５１    ＣＰＵ
５２    センサ
５６    表示部
６２    音声出力部
６０    内蔵電源
６１    スイッチ
６３    音声出力部
【図１】
0005679926.tif 000002
【図２】
0005679926.tif 000003
【図３】
0005679926.tif 000004
【図４】
0005679926.tif 000005
【図５】
0005679926.tif 000006
【図６】
0005679926.tif 000007
【図７】
0005679926.tif 000008
【図８】
0005679926.tif 000009
【図９】
0005679926.tif 000010
【図１０】
0005679926.tif 000011
【図１１】
0005679926.tif 000012
【図１２】
0005679926.tif 000013
【図１３】
0005679926.tif 000014
【図１４】
0005679926.tif 000015
【図１５】
0005679926.tif 000016
【図１６】
0005679926.tif 000017